(57)【特許請求の範囲】
【請求項１】
連結・接続部と、この連結・接続部から延びる第１及び第２柄部と、前記第１及び第２柄部の先端部に設けられた第１及び第２摘み部とを有するステンレス製の洗浄具本体と；前記洗浄具本体の前記第１及び第２摘み部に着脱自在に装着された第１及び第２スポンジタワシと；を備えており、
前記連結・接続部は、連結ピンを介して相互に旋回自在に連結された第１及び第２連結部を有し、前記第１柄部は前記第１連結部から延び、前記第２柄部は前記第２連結部から延び、前記第１連結部と前記第２連結部との間には板ばねが介在され、前記板ばねの弾性変形によって、前記第１及び第２柄部が相互に近接する方向に移動可能であり、
前記第１及び第２柄部は、前記連結・接続部の第１及び第２連結部からハ字状に拡がっているとともに、前記第１及び第２柄部の先端側は、内側に向けて所定角度で傾斜して延びており、
前記第１及び第２摘み部は、幅方向両側部が内側に向けて弧状で、幅方向中央部が外側に凸状に形成されているとともに、前記第１及び第２摘み部の先端部は内側に折曲されており、
また、前記第１及び第２スポンジタワシは、袋状の第１及び第２タワシ本体を備え、前記第１及び第２タワシ本体は、洗浄用タワシを縦方向に折り返して重ね合わせてその両側部を大型ホッチキスの針で綴じて袋状に形成されており、
前記第１スポンジタワシは、前記第１タワシ本体の開口部を通して前記洗浄具本体の前記第１摘み部を覆うように着脱自在に装着され、前記第２スポンジタワシは、前記第２タワシ本体の開口部を通して前記洗浄機本体の前記第２摘み部を覆うように着脱自在に装着されることを特徴とする洗浄具。
【請求項２】
前記洗浄タワシの片面に硬質マット材が配設され、その他面に軟質発泡樹脂材が配設され、前記硬質マット材が外側となるように縦方向に折り返してその両側部を前記大型ホッチキスの針で袋状に綴じることにより第１タワシが形成され、前記軟質発泡樹脂材が外側となるように縦方向に折り返してその両側部を前記大型ホッチキスの針で綴じることにより第２タワシが形成され、前記第１及び第２スポンジタワシの前記第１及び第２タワシ本体は、前記第１及び第２タワシのいずれかから構成されることを特徴とする請求項１に記載の洗浄具。
【請求項３】
前記第１スポンジタワシの前記第１タワシ本体は前記第１タワシから構成され、前記第２スポンジタワシの前記第２タワシ本体は前記第２タワシから構成されていることを特徴とする請求項２に記載の洗浄具。
【請求項４】
温水又は水が噴射される噴射ノズル部及び作業者が把持するグリップ部を備えた噴射体と、前記噴射ノズル部を囲むように前記噴射体に装着されたカバー体とを備え、前記カバー体には、前記噴射ノズル部の外形よりも内径が小さい円形状の貫通孔が設けられ、前記噴射体の前記噴射ノズル部は、前記カバー体の前記貫通孔に遊びを有するように挿入される噴射具と；請求項１〜３のいずれかに記載の洗浄具と；を用いて被洗浄物を洗浄する洗浄方法であって、
前記洗浄具に洗剤を浸して被洗浄物を洗剤でもって洗浄し、次いで水洗い容器に溜めた水に浸して水洗いし、この水洗いした被洗浄物を一時的に所定時間ストックする洗浄具による洗浄工程と、前記噴射具を流し台の水栓に接続し、前記流し台のシンク内に洗浄台を置き、被洗浄物を前記洗浄台上に載置し、前記カバー体を前記洗浄台上に載置し、前記カバー体と前記洗浄台とにより閉鎖空間を形成し、前記噴射具により温水又は水を被洗浄物に噴射しながら洗浄する噴射具による洗浄工程と、を含むことを特徴とする洗浄方法。
【発明の詳細な説明】
【技術分野】
【０００１】
本発明は、食器、調理器具などの洗浄に用いる洗浄具及びこれを用いた洗浄方法に関する。
【背景技術】
【０００２】
食器、調理器具などを洗剤を用いた洗浄にスポンジタワシが広く用いられている。このスポンジタワシは、一般的に直方体状に形成され、その片側面に硬質のマット材が用いられ、その他側面に軟質の発泡樹脂材が用いられ、マット材及び発泡樹脂材が接着剤を介して接合されている。
【０００３】
スポンジタワシを用いて洗浄する場合、例えば、手洗い用洗剤を希釈させた希釈洗剤液にスポンジタワシを浸し、片方の手で被洗浄物（食器、調理器具など）を掴み、他方の手でスポンジタワシを摘み、このスポンジタワシで被洗浄物の表面を擦って付着物を乳化し、その後水又は温水で濯ぎ、付着物を取り除き被洗浄物の洗浄を行っている。
【０００４】
このスポンジタワシを用いてコップなどの被洗浄物（細くて深い形態のもの）を洗浄しようとすると、スポンジタワシを掴んでいる手が被洗浄物の中に入らず、被洗浄物の底部をきれいに洗浄することが難しいという問題があり、このような問題を解消するために、柄付き洗浄具が販売されている。この柄付き洗浄具は、手で把持するための把持部を備えた柄部材を備え、この柄部材の先端部に洗浄用のスポンジが取り付けられている。
【０００５】
しかし、この公知の柄付き洗浄具では、柄部材の先端部に専用のスポンジが一体的に取り付けられ、スポンジを交換することができず、スポンジが摩耗したときには洗浄具全体を廃棄しなければならない。また、柄部材の先端部に取り付けられるものはスポンジであるので、被洗浄物としてのコップなどに適用し易く、コップなどに付着した液体状の付着物を容易に取り除くことができるが、被洗浄物としての鍋などに適用し難く、鍋などにこびり付いた付着物を取り除くのが容易でない。
【０００６】
このようなことから、洗浄具本体の柄に固定アーム及び可動アームを設け、これら固定アーム及び可動アームにスポンジを取り付けた洗浄具が提案されている（例えば、特許文献１参照）。この洗浄具においては、一対のスポンジを希釈洗剤液に浸した後に、可動アームを回動させて固定アーム及び可動アームのスポンジ間に皿などの被洗浄物を挟み込み、このような状態にて柄を動かして一対のスポンジを被洗浄物の両面に作用させて洗浄を行う。
【０００７】
また、Ｕ字状の取手部の両端部に円筒状の連結部を装着し、この連結部に多角柱状のスポンジ体を取り付けた洗浄具が提案されている（例えば、特許文献２参照）。この洗浄具においては、一対のスポンジ体を希釈洗浄液に浸した後に、これらスポンジ体間に例えば食器の側面を挟み込み、スポンジ体を食器に対して相対的に回動させて洗浄を行う。更に、一対のスポンジ体を閉じた状態にし、この状態でもって食器の内面及び外面の一部を洗浄する。
【先行技術文献】
【特許文献】
【０００８】
【特許文献１】特開２００６−３０５２４６号公報
【特許文献２】特開２００３−９３３１９号公報
【発明の概要】
【発明が解決しようとする課題】
【０００９】
しかしながら、上述の洗浄具では、次の通りの問題がある。第１に、固定アーム及び可動アームに装着されるスポンジとして断面円形状のものを用いているが、このようなスポンジは入手が容易でなく、またスポンジの内部に特殊形状の孔を形成するのが難しい。第２に、可動アームを開くための機構がなく、従って、手でもって可動アームを直接的に開かせる必要があり、この洗浄具を用いた洗浄作業が容易でない。
【００１０】
洗浄に関してのこのような問題は、食器、調理器具などの洗浄のみならず、被洗浄物としての自動車などの洗浄にも存在する。
【００１１】
本発明の目的は、被洗浄物に付いた付着物を従来に比して半分の労力と時間でもって洗浄することができ、しかも手荒れもなくきれいに洗浄することができる洗浄具を提供することである。
【００１２】
本発明の他の目的は、各種の被洗浄物の洗浄に広く適用することができる洗浄具を提供することである。
【００１３】
本発明の更に他の目的は、食器、調理器具などの被洗浄物に付着した付着物を従来に比して半分の労力と時間でもって洗浄することができ、しかも手荒れなくきれいに、更に省エネで洗浄することができる洗浄方法を提供することである。
【課題を解決するための手段】
【００１４】
本発明の請求項１に記載の洗浄具は、連結・接続部と、この連結・接続部から延びる第１及び第２柄部と、前記第１及び第２柄部の先端部に設けられた第１及び第２摘み部とを有するステンレス製の洗浄具本体と；前記洗浄具本体の前記第１及び第２摘み部に着脱自在に装着された第１及び第２スポンジタワシと；を備えており、
前記連結・接続部は、連結ピンを介して相互に旋回自在に連結された第１及び第２連結部を有し、前記第１柄部は前記第１連結部から延び、前記第２柄部は前記第２連結部から延び、前記第１連結部と前記第２連結部との間には板ばねが介在され、前記板ばねの弾性変形によって、前記第１及び第２柄部が相互に近接する方向に移動可能であり、
前記第１及び第２柄部は、前記連結・接続部の第１及び第２連結部からハ字状に拡がっているとともに、前記第１及び第２柄部の先端側は、内側に向けて所定角度で傾斜して延びており、
前記第１及び第２摘み部は、幅方向両側部が内側に向けて弧状で、幅方向中央部が外側に凸状に形成されているとともに、前記第１及び第２摘み部の先端部は内側に折曲されており、
また、前記第１及び第２スポンジタワシは、袋状の第１及び第２タワシ本体を備え、前記第１及び第２タワシ本体は、洗浄用タワシを縦方向に折り返して重ね合わせてその両側部を大型ホッチキスの針で綴じて袋状に形成されており、
前記第１スポンジタワシは、前記第１タワシ本体の開口部を通して前記洗浄具本体の前記第１摘み部を覆うように着脱自在に装着され、前記第２スポンジタワシは、前記第２タワシ本体の開口部を通して前記洗浄機本体の前記第２摘み部を覆うように着脱自在に装着されることを特徴とする。
【００１５】
また、本発明の請求項２に記載の洗浄具では、前記洗浄タワシの片面に硬質マット材が配設され、その他面に軟質発泡樹脂材が配設され、前記硬質マット材が外側となるように縦方向に折り返してその両側部を前記大型ホッチキスの針で袋状に綴じることにより第１タワシが形成され、前記軟質発泡樹脂材が外側となるように縦方向に折り返してその両側部を前記大型ホッチキスの針で綴じることにより第２タワシが形成され、前記第１及び第２スポンジタワシの前記第１及び第２タワシ本体は、前記第１及び第２タワシのいずれかから構成されることを特徴とする。
また、本発明の請求項３に記載の洗浄具では、前記第１スポンジタワシの前記第１タワシ本体は前記第１タワシから構成され、前記第２スポンジタワシの前記第２タワシ本体は前記第２タワシから構成されていることを特徴とする。
更に、本発明の請求項４に記載の洗浄方法は、温水又は水が噴射される噴射ノズル部及び作業者が把持するグリップ部を備えた噴射体と、前記噴射ノズル部を囲むように前記噴射体に装着されたカバー体とを備え、前記カバー体には、前記噴射ノズル部の外形よりも内径が小さい円形状の貫通孔が設けられ、前記噴射体の前記噴射ノズル部は、前記カバー体の前記貫通孔に遊びを有するように挿入される噴射具と；請求項１〜３のいずれかに記載の洗浄具と；を用いて被洗浄物を洗浄する洗浄方法であって、
前記洗浄具に洗剤を浸して被洗浄物を洗剤でもって洗浄し、次いで水洗い容器に溜めた水に浸して水洗いし、この水洗いした被洗浄物を一時的に所定時間ストックする洗浄具による洗浄工程と、前記噴射具を流し台の水栓に接続し、前記流し台のシンク内に洗浄台を置き、被洗浄物を前記洗浄台上に載置し、前記カバー体を前記洗浄台上に載置し、前記カバー体と前記洗浄台とにより閉鎖空間を形成し、前記噴射具により温水又は水を被洗浄物に噴射しながら洗浄する噴射具による洗浄工程と、を含むことを特徴とする。
洗浄方法。
【発明の効果】
【００１６】
本発明の請求項１に記載の洗浄具によれば、洗浄具本体の第１及び第２摘み部に第１及び第２スポンジタワシが装着されているので、この第１及び第２スポンジタワシによって食器、調理機器、自動車（例えば、ボディ、ドア、ドアの開閉部分など）の被洗浄物を簡単に洗浄することができ、また手荒れも防止することができる。また、洗浄具本体は第１及び第２柄部を接続する連結・接続部を有し、この第１及び第２柄部の先端部に第１及び第２摘み部が設けられているので、第１及び第２摘み部の間、即ちこれらに装着された第１及び第２スポンジタワシの間に被洗浄物を挟み込むことによって、食器などの被洗浄物を確実に保持しながらその表面側及び裏面側を同時に広範囲に洗浄することができ、また第１及び第２摘み部を合わせることによって、第１及び第２スポンジタワシを一つのスポンジタワシとして使用し、食器などの被洗浄物の表面（表面側及び裏面側）を洗浄することができ、例えば、食器の周縁部については第１及び第２スポンジタワシの間に挟み込んで洗浄し、その中央部については第１及び第２スポンジタワシを合わせて一つにして擦って洗浄することによって、食器を効率よく洗浄することができる。更に、第１及び第２スポンジタワシは洗浄具本体の第１及び第２摘み部に着脱自在であるので、第１及び第２スポンジタワシの片面側が摩耗したときには裏返して装着することによってそれらの他面側を使用することができ、第１及び第２スポンジタワシのほぼ全体を洗浄に用いることができ、更にそれらの両面が摩耗したときには第１及び第２スポンジタワシを新しいものに容易に交換することができる。加えて、洗浄効果の異なる各種スポンジタワシを用意することによって、被洗浄物の汚れ状態などに応じたスポンジタワシを取り換えて装着して被洗浄物を所要の通りに洗浄することができる。更に、使用しないときには洗浄具本体を吊り下げて第１及び第２スポンジタワシを乾燥することができ、このようにすることによって、第１及び第２スポンジタワシを清潔な状態に保つことができる。
【００１７】
更にまた、第１及び第２柄部は、連結・接続部からハ字状に拡がっているとともに、それらの先端側が内側に向けて所定角度で傾斜して延びているので、第１及び第２柄部の基部間において充分な空間を確保して摘み操作を容易にし、また摘み操作の際に第１及び第２摘み部が相互に対向した状態でもって内側に移動し、これによって、第１及び第２摘み部間に確実に摘むことができる。また、第１連結部と第２連結部との間に板ばねが介在されているので、この板ばねによって第１及び第２柄部が開いた状態に保持され、また第１及び第２柄部を摘まんで板ばねを弾性変形させることによって、第１及び第２柄部を相互に近接する方向に移動させて第１及び第２摘み部を合わせるようにすることができ、その開閉操作が容易となる。
更に、第１及び第２摘み部は、幅方向両側部が内側に向けて弧状で、幅方向中央部が外側に凸状に形成されているので、それらの強度を高めることができるとともに、第１及び第２スポンジタワシの抜けを防止することができる。また、第１及び第２摘み部の先端部が内側に折曲されているので、折曲された先端部が被洗浄物に強く作用するようになり、これによって、第１及び第２スポンジタワシの洗浄力を高めることができるとともに、第１及び第２スポンジタワシの離脱を効果的に防止することができる。加えて、第１及び第２タワシ本体が洗浄タワシを縦方向に折り返してその両側部を大型ホッチキスの針で綴じて袋状に形成されるので、比較的簡単に製作することができる。
【００１８】
また、本発明の請求項２に記載の洗浄具によれば、片面に硬質マット材が設けられ、他面に軟質発泡樹脂材が設けられた洗浄タワシが用いられ、この洗浄タワシの硬質マット材が外側となるように縦方向に折り返して袋状に形成することによって第１タワシが形成され、またその軟質発泡樹脂材が外側となるように縦方向に折り返して袋状に形成することによって第２タワシが形成され、このように洗浄タワシを用いて２種類のタワシを形成することができる。
【００１９】
更に、第１及び第２タワシ本体は、外面側に硬質マット材が設けられた第１タワシ及び外面側に軟質発泡樹脂材が設けされた第２タワシのいずれかから構成されるので、洗浄具本体の第１及び第２摘み部に装着されるタワシの種類を変えることによって、各種被洗浄物に適したタワシを用いて洗浄することができる。例えば、付着物が液体状のものであれば第２タワシを好適に用いることができ、また付着物が固体状のものであれば第１タワシを好適に用いることができる。また、第１及び第２タワシを各２個ずつ備え、第１及び第２タワシの使用組合せを選択することによって、３種類の洗浄具として用いることができ、このようにすることによって、被洗浄物に応じて使い分けすることができる。
【００２０】
また、本発明の請求項３に記載の洗浄具によれば、第１スポンジタワシの第１タワシ本体が第１タワシから構成され、その外面側が硬質マット材で、その内面側が軟質発泡樹脂材から構成されているので、この第１スポンジタワシを用いることによって、被洗浄物に付着した固体状の付着物などを好都合に取り除くことができる。また、第２スポンジタワシの第２タワシ本体が第２タワシから構成され、その外側面が軟質発泡樹脂材から構成され、その内面側が硬質マット材から構成されているので、この第２スポンジタワシを用いることによって、被洗浄物に付着した液体状の付着物などを好都合に取り除くことができる。また、第１及び第２タワシは硬質マット材を含んでいるので、それ自体に適度の剛性があり、被洗浄物に沿って作用して所要の通り洗浄することができる。
【００２１】
更に、本発明の請求項４に記載の洗浄方法によれば、洗浄具による洗浄工程では請求項１〜３のいずれかに記載の洗浄具を用いて被洗浄物を洗浄するので、従来のスポンジタワシを用いて洗浄する場合に比して半分の時間と労力で洗浄することができ、また手荒れもなく、被洗浄物をきれいに洗浄することができる。
【図面の簡単な説明】
【００２２】
【図１】本発明に従う洗浄具の第１の実施形態を示す正面図。
【図２】図１の洗浄具の洗浄具本体を示す正面図。
【図３】図１の洗浄具の摘み部を内側から見た部分図。
【図４】図３におけるＩＶ−ＩＶ線による断面図。
【図５】洗浄具本体の第１の変形形態を示す正面図。
【図６】洗浄具本体の第２の変形形態を示す正面図。
【図７】図６の洗浄具本体の連結・接続部を示す部分正面図。
【図８】洗浄具本体の第３の変形形態の一部を示す部分拡大図。
【図９】図１の洗浄具のスポンジタワシを示す平面図。
【図１０】図９におけるＸ−Ｘ線による断面図。
【図１１】図１の洗浄具において、スポンジタワシを洗浄具本体の摘み部に装着した状態を示す断面図。
【図１２】スポンジタワシの第１の変形形態の製作方法を説明するための斜視図。
【図１３】第１の変形形態のスポンジタワシを示す平面図。
【図１４】スポンジタワシの第２の変形形態を示す平面図。
【図１５】図１４におけるＸＶ−ＸＶ線による断面図。
【図１６】本発明に従う洗浄具の第２の実施形態を示す正面図。
【図１７】図１６の洗浄具の洗浄具本体の摘み部にスポンジタワシを装着する前の状態を示す斜視図。
【図１８】図１の洗浄具による第１の洗浄使用例を示す説明図。
【図１９】図１の洗浄具による第２の洗浄使用例を示す説明図。
【図２０】本発明に従う洗浄方法における洗浄具による洗浄工程を実施するためのキッチンの配置例を示す平面図。
【図２１】本発明に従う洗浄方法における噴射具による洗浄工程に用いる噴射具の使用状態を示す部分断面図。
【図２２】噴射具による洗浄工程を実施するためのキッチンの配置例を示す平面図。
【図２３】噴射具を用いた洗浄を説明するための部分断面図。
【発明を実施するための形態】
【００２３】
以下、添付図面を参照して、本発明に従う洗浄具及びこれを用いた洗浄方法について説明する。まず、図１を参照して、洗浄具の第１の実施形態について説明する。
【００２４】
図１において、図示の洗浄具２は、洗浄具本体４と、この洗浄具本体４に装着される第１及び第２スポンジタワシ６，８とを備えている。図２〜図４をも参照して、この洗浄具本体４は、第１柄部１０及び第２柄部１２を有し、第１柄部１０及び第２柄部１２の基部が連結・接続部１４を介して接続されている。この形態では、連結・接続部１４は略円弧状であり、この片側から第１柄部１０が直線状に延び、その他側から第２柄部１２が直線状に延び、第１及び第２柄部１０，１２は、連結・接続部１４からハ字状に拡がっている。この連結・接続部１４は円弧状の板ばね状に構成され、その半径が８ｍｍ以上に形成されている。この連結・接続部１４は弾性変形可能であり、摘む及び離す動作によって、第１及び第２柄部１０，１２は、相互に近接及び離隔する方向に移動することができる。
【００２５】
第１柄部１０の先端部には第１摘み部１６が設けられ、また第２柄部１２の先端部には第２摘み部１８が設けられている。第１摘み部１６は第１柄部１０よりも幅が広く、また第２摘み部１８は第２柄部１２よりも幅が広く、このように幅を広くすることによって、第１及び第２摘み部１６，１８間に摘み易くなっている（図３参照）。
【００２６】
第１及び第２摘み部１６，１８は、図３及び図４に示すように、幅方向（図３において上下方向、図４において左右方向）両側部２０，２２が内側に向けて弧状となる（換言すると、幅方向中央部２２が外側に弧状に凸状となる）ように形成するのが望ましい。このように構成することによって、第１及び第２摘み部１６，１８の強度を高めることができるとともに、後述する第１及び第２スポンジタワシ６，８の装着状態からの抜けを抑えることができる。
【００２７】
この実施形態の洗浄具本体４では、連結・接続部１４、第１及び第２柄部１０，１２並びに第１及び第２摘み部１６，１８が一体的に構成され、例えばステンレス鋼、真鍮などの金属材料から形成されている。尚、洗浄具本体４全体を金属材料から形成する必要はなく、連結・接続部１４を金属材料（例えば、ステンレス鋼など）から形成し、第１及び第２柄部１０，１２並びに第１及び第２摘み部１６，１８を合成樹脂材料から形成するようにしてもよく、或いは連結・接続部１４並びに第１及び第２摘み部１６，１８を金属材料（例えば、ステンレス鋼など）から形成し、第１及び第２柄部１０，１２を剛性樹脂から形成するようにしてもよい。
【００２８】
このような洗浄具本体は、例えば、図５に示すように構成することができる。尚、以下の各種形態において、図１〜図４に示す実施形態と実質上同一の部材には同一の参照番号を付し、その説明を省略する。
【００２９】
図５において、第１の変形形態の洗浄具本体４Ａにおいては、第１及び第２柄部１０Ａ，１２Ａが内側に向けて所定角度θでもって傾斜して延びている。この所定傾斜角度θは、１０〜３０度程度あるのが望ましく、このように傾斜させることによって、第１及び第２柄部１０Ａ，１２Ａの基部側間において充分な空間を確保することができ、これによって、第１及び第２柄部１０Ａ，１２Ａの摘み操作を容易に行うことができ、また摘み操作の際に第１及び第２摘み部１６，１８が相互に対向した状態でもって内側に移動され、これによって、第１及び第２摘み部１６，１８間に確実に摘むことができる。
【００３０】
このような洗浄具本体は、例えば、図６及び図７に示す形態のものを用いることもできる。図６及び図７において、第２の変形形態の洗浄具本体４Ｂにおいては、連結・接続部１４Ｂに改良が施されている。図示の連結・接続部１４Ｂは、第１連結部２４及び第２連結部２６を有し、第１連結部２４に設けられた一対のブラケット部２８（図７において一方のみ示す）と第２連結部２６に設けられた一対のブラケット部３０（図６において手前側のものを示し、図７において背面側のものを示す）が連結ピン３２を介して所定角度範囲にわたって旋回自在に連結されている。
【００３１】
この洗浄具本体４Ｂでは、連結・接続部１４Ｂの第１連結部２４から第１柄部１０Ｂから延び、その第２連結部２６から第２柄部１２Ｂが延びており、更に、第１連結部２４と第２連結部２６との間に、連結ピン３２を巻くようにばね手段３４が介在されている。ばね手段３４は、例えば板ばね、コイルばねなどから構成され、第１及び第２連結部２４，２６（換言すると、第１及び第２柄部１０Ｂ，１２Ｂ）を外側に（両者が離隔する方向に）弾性的に偏倚し、第１及び第２柄部１０Ｂ，１２Ｂ（第１及び第２摘み部１６，１８）は、このばね手段３４の弾性作用によって図６及び図７に示す開状態に保持される。尚、第１及び第２連結部２４，２６の上記開状態を越える移動を防止するために、移動防止当接部などを設けることもできる。
【００３２】
このような構成の洗浄具本体４Ｂでも、ばね手段３４の弾性変形によって、第１及び第２連結部２４，２６（即ち、第１及び第２柄部１０Ｂ，１２Ｂ）の相互に近接する方向の移動が許容され、第１及び第２摘み部１６，１８間に物などを摘むことができ、第１の実施形態の洗浄具本体４と同様に、洗浄具に用いることができる。
【００３３】
このような洗浄具本体は、例えば、図８に示すように構成することができる。図８において、第３の変形形態の洗浄具本体４Ｃにおいては、洗浄具本体４Ｃの第１及び第２摘み部１６Ｃ，１８Ｃの先端部３５が内側に折曲されている。このように折曲することによって、後述する如く第１及び第２スポンジタワシ６，８を装着した状態においては、第１及び第２スポンジタワシ６，８の内側部が内側に凸状となって内側に角度θ２傾斜させたと同様の状態になり、上述した洗浄具本体Ａ４と同様の作用効果が達成することができる。加えて、第１及び第２摘み部１６Ｃ，１８Ｃの先端部３５が被洗浄物の表面に強く作用するようになり、これによって、第１及び第２スポンジタワシ６，８の洗浄力を強化することができる。
【００３４】
また、折曲された先端部３５が対応する第１及び第２スポンジタワシ６，８の内面に作用し、これによって第１及び第２摘み部１６Ｃ，１８Ｃからの第１及び第２スポンジタワシ６，８の離脱もより効果的に防止され、被洗浄物を長期間にわたり洗浄することができる。
【００３５】
次に、図９〜図１１を参照して、第１及び第２スポンジタワシ６，８について説明する。第１及び第２スポンジタワシ６，８は、実質上同一の構成であり、以下、第１スポンジタワシ６（第２スポンジタワシ８）の構成について説明する。
【００３６】
図９〜図１１において、図示の第１スポンジタワシ６（第２スポンジタワシ８）は、第１タワシ本体４２（第２タワシ本体４４）を備え、この第１タワシ本体４２（第２タワシ本体４４）が後述するように洗浄具本体４（４Ａ，４Ｂ）の第１摘み部１６（第２摘み部１８）に着脱自在に装着される。第１タワシ本体４２（第２タワシ本体４４）は、基部側端（図９において下端）が開放された袋状であり、この開放された開口を通して第１摘み部１６（第２摘み部１８）に装着される。
【００３７】
第１タワシ本体４２（第２タワシ本体４４）は、硬質のマット材４６と軟質の発泡樹脂材４８とが接合され二重構造であり、この形態では、外側に硬質のマット材４６が設けられ、内側に軟質の発泡樹脂材４８が設けられた第１タワシから構成されている。硬質のマット材４６としては、例えば、ナイロン製の不織布などを用いることができ、また軟質の発泡樹脂材４８としては、例えば、ウレタンスポンジなどを用いることができる。尚、硬質のマット材４６と軟質の発砲樹脂材４８の二重構造のものを用いることによって、適度の剛性と適度の弾性を確保することができ、被洗浄物の洗浄に好都合に適用することができる。
【００３８】
このような第１タワシは、例えば、次のようして製作することができる。図９及び図１０から理解されるように、片面側に硬質のマット材４６が配設され、他面側に軟質の発泡樹脂材４８が配設された洗浄用タワシ（例えば、スポンジタワシとして市販されているもの）を用いることができ、このような洗浄用タワシでは、マット材４６と発泡樹脂材４８とが接着剤を介して接合されている。この洗浄用タワシを用いる場合、例えば、軟質の発泡樹脂材４８が内側となるように折り返して重ね合わせ、このように重ね合わせた状態にて、先端部５０及び開放された側部５２を例えば大型のホッチキス（図示せず）の針材５４で綴じればよく、このように綴じることによって、一端が開放された袋状の第１タワシを製作することができる。大型ホッチキスの針材５４としては、例えばマックス株式会社から販売されているマックス針（商品型番：１２１３ＦＡ−Ｈ）（サイズ：１３ｍｍ（幅）×１３ｍｍ（高さ）×０．７５ｍｍ（厚み））を用いることができる。
【００３９】
このような大型のホッチキス針を用いることに代えて、例えば、折り返して重ね合わせた状態の洗浄用タワシの先端部及び側部５２を金属ワイヤ、糸（いずれも図示せず）などを用いて縫い合わせるようにしてもよい。尚、洗浄用タワシを二重又は三重に重ねた状態で折り返して重ね合わせ、かく重ね合わせた状態にて大型ホッチキスの針材５４などで綴じるようにしてもよい。
【００４０】
このような第１タワシは、洗浄具本体４（４Ａ，４Ｂ）の第１及び第２摘み部１６，１８に装着される。即ち、第１タワシ（第１タワシ本体４２）の開放された一端開口を通して第１摘み部１６を挿入し、第１タワシ（第２タワシ本体４４）の開放された一端開口を通して第２摘み部１８を挿入することによって、第１及び第２スポンジタワシ６，８が洗浄具本体４（４Ａ，４Ｂ）に着脱自在に装着される。かく装着した状態においては、第１及び第２摘み部１６，１８が第１及び第２スポンジタワシ６，８で被われ、第１及び第２スポンジタワシ６，８として外面側が硬質のマット材４６である第１タワシを用いているので、食器、調理器などの被洗浄物に強く作用し、表面にこびり付いたような汚れを除去するのに好都合であり、強く押しつけて擦ることによって、こびり付いたような汚れをきれいに取り除くことができる。
【００４１】
第１タワシ本体４２（第２タワシ本体４４）としては、上述したものに代えて、外側に軟質の発泡樹脂材４８が設けられ、内側に硬質のマット材４６が設けられた第２タワシから構成することもできる。この第２タワシは、第１タワシと同様に、片面側に硬質のマット材４６が配設され、他面側に軟質の発泡樹脂材４８が配設された洗浄用タワシを用いることができ、例えば、軟質の発泡樹脂材４８が外側となるように折り返して重ね合わせ、このように重ね合わせた状態にて、先端部５０及び開放された側部５２を例えば大型のホッチキスの針材５４（例えば、上述したサイズのものを用いることができる）で綴じることによって製作することができる。尚、この第２タワシにおいても、軟質の発泡樹脂材４８が外側となるように洗浄用タワシを二重又は三重に重ねた状態で折り返して重ね合わせ、このように重ね合わせた状態にて大型ホッチキスの針材５４などで綴じるようにしてもよい。
【００４２】
このような第２タワシも、上述した第１タワシと同様に、洗浄具本体４（４Ａ，４Ｂ）の第１及び第２摘み部１６，１８に装着される。即ち、第２タワシ（第１タワシ本体４２）の開放された一端開口を通して第１摘み部１６を挿入し、第２タワシ（第２タワシ本体４４）の開放された一端開口を通して第２摘み部１８を挿入することによって、洗浄具本体４（４Ａ，４Ｂ）に着脱自在に装着される。かく装着した状態においては、第１及び第２摘み部１６，１８が第１及び第２スポンジタワシ６，８で被われ、第１及び第２スポンジタワシ６，８として外面側が軟質の発泡樹脂材４８である第２タワシを用いているので、食器、調理器などの被洗浄物に優しく作用し、表面に付着した程度の汚れを除去するのに好都合であり、表面への傷を抑えながら汚れをきれいに取り除くことができる。
【００４３】
上述した使用例では、洗浄具本体４（４Ａ，４Ｂ）の第１及び第２摘み部１６，１８の双方に第１タワシ（外側が硬質のマット材４６であるタワシ）又は第２タワシ（外側が軟質の発泡樹脂材４８であるタワシ）を装着しているが、必ずしも同種のタワシを装着する必要はなく、洗浄具本体４（４Ａ，４Ｂ）の第１摘み部１６に第１タワシ（又は第２タワシ）を装着し、その第２摘み部１８に第２タワシ（又は第１タワシ）を装着するようにしてもよく、この場合、洗浄具本体４（４Ａ，４Ｂ）に装着されたタワシを使い分けすることによって、食器、調理器具などに付いた種々の汚れを所望の通りに除去してきれいにすることができる。
【００４４】
このような第１スポンジタワシ（第２スポンジタワシ）の第１タワシ本体（第２タワシ本体）は、例えば、図１２及び図１３に示す形態のものを用いることもできる。図１２及び図１３において、第１の変形形態のタワシでは、洗浄用タワシを折り返して製作するのではなく、二つの洗浄用タワシを重ねて製作している。即ち、この第１の変形形態のタワシでは、外側に硬質のマット材（又は軟質の発泡樹脂材）が配置されるように洗浄用タワシ６２を重ね合わせ、このように重ね合わせた状態にて、先端部６４及び両側部６６，６８を上述したと同様に大型のホッチキス（図示せず）の針材６８（上述したと同じサイズのものを用いることができる）で綴じればよく、このようにして第１タワシ（第２タワシ）を製作することができる。そして、このように製作した第１タワシ（第２タワシ）は、上述した第１タワシ（第２タワシ）に代えて、第１及び第２スポンジタワシ６Ａ，８Ａの第１及び第２タワシ本体４２Ａ，４４Ａとして用いることができる。
【００４５】
このような第１スポンジタワシ（第２スポンジタワシ）の第１タワシ本体（第２タワシ本体）は、例えば、図１４及び図１５に示す形態のものを用いることもできる。図１４及び図１５において、第２の変形形態のタワシでは、図９〜図１１に示すものと同様に、片面側に硬質のマット材７２が配設され、他面側に軟質の発泡樹脂材７４が配設された洗浄用タワシ（例えば、スポンジタワシとして市販されているもの）を用いることができ、横方向に折り返すのではなく、縦方向（図１４において上下方向）に折り返して製作される。例えば、軟質の発泡樹脂材７４が内側となるように折り返して重ね合わせ、このように重ね合わせた状態にて、開放された両側部７５，７７を例えば大型のホッチキス（図示せず）の針材７８（例えば、上述したと同様のサイズのものを用いることができる）で綴じればよく、かく綴じることによって、一端が開放された袋状の第１タワシを製作することができる。大型のホッチキスを用いることに代えて、金属ワイヤ、糸（いずれも図示せず）などを用いて縫い合わせるようにしてもよく、洗浄用タワシを二重又は三重に重ねた状態で折り返して重ね合わせ、このように重ね合わせた状態にて大型ホッチキスの針材７８などで綴じるようにしてもよい。
【００４６】
また、上述した洗浄用タワシを用い、硬質のマット材７２が内側となるように折り返し、かく折り返した状態にて、開放された両側部７５，７７を例えば大型のホッチキス（図示せず）の針材７８で綴じることによって、一端が開放された第２タワシを製作することができる。このように製作された第１及び第２タワシは、上述したものと同様に、洗浄部本体４（４Ａ，４Ｂ）の第１及び第２摘み部１６，１８に着脱自在に装着される。
【００４７】
次に、図１６及び図１７を参照して、洗浄具の第２の実施形態について説明する。この第２の実施形態においては、スポンジタワシに改良が施されている。図１６及び図１７において、図示の洗浄具１０１は洗浄具本体１０２を備え、この洗浄具本体１０２は、第１の実施形態における洗浄具本体４と実質上同一のものでよく、これに代えて、第１又は第２の変形形態の洗浄具本体４Ａ，４Ｂを用いるようにしてもよい。
【００４８】
洗浄具本体１０２は、上述したと同様に、第１柄部１１０及び第２柄部１１２を有し、第１柄部１１０及び第２柄部１１２の基部が連結・接続部１１４を介して接続され、連結・接続部の片側から第１柄部１１０が延び、その他側から第２柄部１１２が延びている。連結・接続部１１４は板ばね状に形成されて弾性変形可能であり、その弾性変形によって、第１及び第２柄部１１０，１１２が相互に近接及び離隔する方向に移動可能である。第１柄部１１０の先端部には第１摘み部１１６が設けられ、また第２柄部１１２の先端部には第２摘み部１１８が設けられている。
【００４９】
この第２の実施形態では、洗浄具本体１０２の第１及び第２摘み部１１６，１１８にわたってスポンジタワシ１２０が着脱自在に装着される。この第２の実施形態におけるスポンジタワシ１２０はタワシ本体１２２を備え、このタワシ本体１２２が後述するように洗浄具本体１０４の第１及び第２摘み部１１６，１１８に着脱自在に装着される。タワシ本体１２２は、基部側端（図１６において左端）が開放された袋状であり、この開放された開口を通して第１及び第２摘み部１１６，１１８に装着される。
【００５０】
タワシ本体１２２は、硬質のマット材１２４と軟質の発泡樹脂材１２６とが接合され二重構造であり、この形態では、外側に硬質のマット材１２４が設けられ、内側に軟質の発泡樹脂材１２６が設けられた第１タワシから構成され、この第１タワシの構造は、上述した第１の実施形態のものと略同様である。このような第１タワシは、図９及び図１０に示すようにして、或いは図１２及び図１３に示すように又は図１４及び図１５に示すようにして製作することができる。
【００５１】
このような第１タワシは、図１６に示すように、洗浄具本体１０４の第１及び第２摘み部１１６，１１８に装着される。即ち、洗浄具本体１０４の第１及び第２柄部１１０，１１２を握って第１及び第２摘み部１１６，１１８を近接する方向に移動させて相互に合わせ、かく合わせた状態にて第１及び第２摘み部１１６，１１８を第１タワシの開放された一端開口を通して挿入し、このようにして第１タワシ（即ち、スポンジタワシ１２０）が洗浄具本体１０４に着脱自在に装着される。
【００５２】
このように装着した状態においては、第１及び第２摘み部１１６，１１８の全体が一つのスポンジタワシ１２０で被われる。また、スポンジタワシ１２０として外面側が硬質のマット材４６である第１タワシを用いるので、食器、調理器などの被洗浄物に強く作用し、表面にこびり付いたような汚れをきれいに除去することができる。加えて、第１及び第２摘み部１１６，１１８を閉じて合わせた状態にてスポンジタワシ１２０の開口を通して挿入するので、洗浄具本体１０４の連結・接続部１１４の弾性復元力によって、第１及び第２摘み部１１６，１１８がスポンジタワシ１２０の内面にこれを押し拡げるように作用し、弾性復元力によるかかる作用によって、第１及び第２摘み部１１６，１１８からのスポンジタワシ１２０の離脱を防止することができる。
【００５３】
タワシ本体１２２としては、上述したものに代えて、外側に軟質の発泡樹脂材１２６が設けられ、内側に硬質のマット材１２４が設けられた第２タワシから構成することもできる。この第２タワシは、第１タワシと同様にして製作することができ、上述した第１タワシと同様に、洗浄具本体１０４の第１及び第２摘み部１１６，１１８に着脱自在に装着され、かく装着した状態においては、第１及び第２摘み部１１６，１１８がスポンジタワシ１２０のタワシ本体１２２（即ち、第２タワシ）で被われ、このタワシ本体１２２の外面側が軟質の発泡樹脂材１２６であるので、食器、調理器などの被洗浄物に優しく作用し、表面への傷を抑えながら汚れをきれいに取り除くことができる。
【００５４】
上述した第１の実施形態の洗浄具２は、例えば、図１８及び図１９に示すようにして食器２００などの被洗浄物を洗浄することができる。食器２００を効率よく洗浄する場合には、例えば、第１及び第２スポンジタワシ６，８に希釈洗浄剤（洗浄剤として手洗い用洗剤を好都合に用いることができる）を含ませて図１８に示すようにして洗浄すればよい。即ち、片方の手（図示せず）で食器２００を持ち、他方の手２０２で洗浄具２の第１及び第２柄部１０，１２を挟むように持ち、食器２００の表面側に第１スポンジタワシ６を位置付け、その裏面側に第２スポンジタワシ８を位置付け、このような状態で第１及び第２柄部１０，１２を握って第１スポンジタワシ６を食器２００の表面に、また第２スポンジタワシ８を食器２００の裏面に圧接させる。そして、この第１及び第２スポンジタワシ６，８を圧接状態に保った状態にて、例えば食器２００（又は洗浄具２）を回動させて食器２００と第１及び第２スポンジタワシ６，８を相対的移動させればよく、このように相対移動させることによって、第１スポンジタワシ６が食器２００の表面の周囲に作用して洗浄するとともに、第２スポンジタワシ８が食器２００の裏面の周囲に作用して洗浄し、洗浄具２の周縁部を第１及び第２スポンジタワシ６，８でもって食器２００の両面を同時に洗浄することができる。
【００５５】
また、食器２００の残りの部分（例えば、表面側及び裏面側の中央部）を洗浄する場合には、例えば、第１及び第２スポンジタワシ６，８に希釈洗浄剤を含ませて図１９に示すようにして洗浄すればよい。即ち、片方の手（図示せず）で食器２００を持ち、他方の手２０２で洗浄具２の第１及び第２柄部１０，１２を挟むように持ち、第１及び第２柄部１０，１２を相互に近接するように移動させて第１及び第２スポンジタワシ６，８を相互に圧接させる。そして、この第１及び第２スポンジタワシ６，８を相互に圧接する状態に保った状態にて、例えば食器２００の内面側及び裏面側の中央部及びその近傍を擦って作用させればよく、この場合、被洗浄物（食器２００）を保持している指に力がかからず、被洗浄物が滑り落ちて破損することがない。
【００５６】
被洗浄物としてのガラスコップは数が多くて時間もかかるが、この洗浄具２を用いることによって、洗浄時間や労力を半減することができ、またこれらをきれいに洗うことができる。更に、箸、フォーク、ナイフ及び包丁などは、第１及び第２スポンジタワシ６，８間に挟んで引き抜くことによって洗浄することができ、非常に効果的に洗浄することができる。
【００５７】
上述した実施形態では、洗浄具を食器、調理器具などの洗浄に適用して説明したが、これに限定されず、自動車などの洗浄にも適用することができる。
【００５８】
また、例えば、上述した各種形態においては、第１及び第２スポンジタワシの第１及び第２タワシ本体として、片面側に硬質のマット材が配設され、他面側に軟質の発泡樹脂材が配設された洗浄用タワシを用いているが、第１及び第２タワシ本体として用いる第１タワシにあっては、全体が硬質のマット材から形成されたものを用いるようにしてもよく、また第１及び第２タワシ本体として用いる第２タワシにあっては、全体が軟質の発泡樹脂材から形成されたものを用いることができる。
【００５９】
また、例えば、第１の実施形態の洗浄具２では、洗浄具本体４の第１及び第２摘み部１６，１８に第１及び第２スポンジタワシ６，８を装着しているが、この第１及び第２摘み部１６，１８にこれらを一つにするように第２の実施形態と同様のスポンジタワシを装着するようにしてもよい。第１及び第２スポンジタワシ６，８（各摘み部を覆うように装着する第１形態のスポンジタワシ）を用いる第１使用形態では、第１及び第２摘み部１６，１８間に被洗浄物を挟むことができるので、食器、調理器具などの洗浄に好適に用いることができ、またスポンジタワシ（第１及び第２摘み部を一体的に覆うように装着される第２形態のスポンジタワシ）を用いる第２使用形態では、第１及び第２摘み部１６，１８が一つになるので、自動車（ボディ、ホイールなど）などの洗浄に好適に用いることができる。
【００６０】
このような使用方法は、第２の実施形態の洗浄具（１０１）にも適用することができ、洗浄具本体１０２の第１及び第２摘み部１１６，１１８に装着される第１の実施形態と同様の第１及び第２スポンジタワシを装着するようにしてもよい。即ち、第１使用形態では、洗浄具本体１０２の第１及び第２摘み部１１６，１１８をそれぞれ覆うように第１及び第２スポンジタワシ１１６，１１８を装着し、第２使用形態では、洗浄具本体１０２の第１及び第２摘み部１１６，１１８のそれらが一つになるようにスポンジタワシ１２０を装着するようにしてもよい。
【００６１】
この洗浄具２（１０１）は、例えば、次の洗浄方法に好都合に用いることができる。洗剤としては手洗い用洗剤が最適である。一般的に、手洗い用洗剤は界面活性剤を主成分として含んでおり、汚れを乳化して落ちやすし、それ故に、短時間で汚れを落とすことができる。一方、界面活性剤が多いと仕上げ洗浄で泡切れが悪く、このことに起因して、省エネ、省資源を達成することが難しくなる。
【００６２】
このようなことから、手洗い用洗剤を希釈して使用し、例えば１０００倍程度に薄めて使用することが望ましく、このように希釈した洗剤に上述した洗浄具２（１０１）を浸し、食器などの被洗浄物をキッチンのシンクで希釈洗剤で磨いて洗浄し、容器に溜めた少量の水に短時間浸して界面活性剤の大部分を除去した後に外部でストックする。例えば、食器４５点及び小物一式（家庭で使用する一日分の食器の量に相当する）は、容器に溜めた約４リットルの水で充分洗浄可能であり（洗浄具による洗浄工程）、これによって、後に遂行する噴射具による洗浄工程における洗浄を従来に比して約半分の時間や労力で行うことができ、消費エネルギーを約１／３にすることができる。
【００６３】
この洗浄具による洗浄工程の一例を図２０を参照して説明する。図２０において、食事に使用した被洗浄物としての食器５００（皿、茶碗、コップなど）をトレー３５２に収納し、このトレー３５２を移動式作業台３０５に載置して移動し、流し台４００の適当な部位（この例では、図２０においてシンク４２０の右側の部位）にトレー３５２配置する。そして、食器５００の入ったトレー３５２に隣接して例えばボール６００を配置し、このボール６００内に希釈した洗剤（手洗い用洗剤）を入れる。
【００６４】
この洗浄例では、トレー３５２を４〜６個を使用し、一つは図２０においてシンク４２０の左側（食器５００の入ったトレー３５２とはシンク４２を挟んで反対側の部位）に配置し、このトレー３５２内に置き水（洗剤を除くための水）を約４リットル入れる。また、移動式作業台３０５については、図２０に示すように、このトレー３５２の手前側に移動し、この移動式作業台３０５に残りのトレー３５２（２〜４個）を載置し、これらトレー３５２のうち一つは空であり、他のものは未洗浄の食器５００が収容されている。
【００６５】
洗浄具２（１０１）による洗浄工程では、トレー３５２から被洗浄物としての食器５００を取り出し、洗浄具２（１０１）の第１及び第２スポンジタワシ６，８（スポンジタワシ１２０）をボール６００内の希釈洗剤に浸し、取り出した食器５００をシンク４２０の中で磨き、きれいに磨いた後の食器５００をトレー３５２内に投入して水に浸す。この洗浄具による洗浄は、トレー３５２から食器５００を一つずつ取り出して上述したように行い、トレー３５２の水にある程度の個数の食器５００が溜まるまで行う。
【００６６】
このようにして浸し用トレー３５２内に食器５００が溜まると、洗浄具２（１０１）による洗浄を一時中断してトレー３５２内で水に浸した食器５００を取り出して移動式作業台３０５上の空トレー３５２内に入れ、水に短時間浸した食器５００を外部（トレー３５２）内にストックする。トレー３５２は、２〜４個を循環して用い、洗浄具２（１０１）による洗浄をトレー３５２内の全ての食器５００に対して行い、このようにして洗浄具による洗浄工程が終了する。この洗浄具による洗浄工程では、図２０に矢印で示すように、図２０の右側のトレー３５２からボール６００、シンク４２０及び左側のトレー３５２を経て左下側のトレー３５２に収容するようになるので、洗浄具２（１０１）を用いた洗浄作業が流れよく効率的に行うことができる。また、トレー３５２についても、食器５００の洗浄により空になったものを洗浄後の収容用トレー３５２として用いるので、このような循環的使用によって、トレー３５２を効率的に用いることができる。
【００６７】
次に、図２１〜図２３を参照して、洗浄具による洗浄工程の後に行われる噴射具による洗浄工程について説明する。図２２は、洗浄具による洗浄工程に用いる洗浄乾燥装置を、流し台４００に設けた一の実施例を示したものである。
【００６８】
噴射具３０２は、流し台４００の水栓４１０から吐出される温水又は水を噴射して食器５００（被洗浄物）を洗浄するものであり、このような噴射具３０２としては、例えば、本出願人が提案した特許第４３１１５８１号公報に開示されたものを好都合に用いることができる。
【００６９】
噴射具３０２は、図２１に示すように、温水又は水を噴射する噴射ノズル部３２１及び作業者が握るグリップ部３２２を備えた噴射体３２０と、この噴射体３２０に揺動可能に設けられ、噴射ノズル部３２１を囲むカバー体３２３と、一端部が噴射体３２０に接続され、他端部が温水又は水の供給路たる水栓４１０に接続される可撓ホース３２５と、から構成されている。
【００７０】
噴射具３０２は、噴射体３２０のグリップ部３２２に、温水噴射又は水噴射の開始、停止を操作するためのトリガー３２６を備えており、また、噴射ノズル部３２１を回転操作することで温水又は水の噴射状態を変更できるように構成されている。トリガー３２６は、必要なときのみ瞬時に噴射又は一時停止が操作できるので、例えば、次の食器５００（被洗浄物）に移る間の噴射を停止して、カバー体３２３と洗浄台３０３とにより規定される空間（閉鎖空間）（図２３参照）に噴射を開始すれば、飛散は生じないし、無駄な放流を防止出来る。
【００７１】
また、カバー体３２３は、円板状の天板部５３１と、この天板部５３１に周設された略円筒形状の周壁部５３２とから構成されている。なお、カバー体３２３の形状は、種々の設計変更が可能であり、例えば半球形状に形成してもよい。天板部５３１の中央には、噴射ノズル部３２１の外径よりも内径が小さい円形の貫通孔５３０が開設されており、この貫通孔５３０と噴射体３２０との間に隙間（遊び）を有して挿入された状態になっている。このカバー体３２３は、噴射温水又は噴射水によりはね返った温水又は水の飛散を防止する。また、カバー体３２３を通して洗浄作業を視認するため、カバー体３２３は透明乃至半透明の合成樹脂材から形成されているのが好ましい。また、視認性のためには、後述のように食器５００からはね返った温水又は水が天板部５３１及び周壁部５３２の曇りを取り除き易く又大皿や箸類が収納できるサイズとするのが好ましい。
【００７２】
噴射体３２０と可撓ホース３２５は、ワンタッチで着脱可能なように、公知の迅速継手（ワンタッチ継手）３２８を介して接続されている。
【００７３】
洗浄台３０３は、図２３に示すように、食器５００（例えば、皿、茶碗コップなど）を載置可能な平面視長方形状の平板状の載置部３３１と、載置部３３１の下面の四隅に設けられた脚部３３２とから構成されている。洗浄台３０３は、被洗浄物を支えるとともに、カバー体３２３との間に閉鎖空間を形成して食器５００を覆うことで、はね返った温水又は水の飛散をより防止する。また、洗浄台３０３は、温水を用いた洗浄時に噴射温水の熱を蓄熱して被洗浄物の加熱に寄与する。また、この洗浄台３０３を流し台４００のシンク４２０の底面４２１に置いたとき、脚部３３２により載置部３３１と底面４２１との間に隙間３３３が形成される。この隙間３３３を通して、洗浄時の食材の残物や汚れを含んだ排水を迅速にシンク４２０の排水口４２４へ流すことができ、排水による食器５００の再汚染を防ぐことができる。洗浄台３０３としてキッチンまな板を使用することもできる。また、乾燥かご３０７は、３人家族用で一日分の食器の４５点及び小物一式を収容できることを基準とする。
【００７４】
移動式作業台３０５は、４〜６個のトレー３５２を有し、上述したように、使用した食器５００の回収、希釈洗剤に浸した洗浄具２（１０１０）による磨き洗浄後の食器５００の水浸し、更に水浸した後の食器５００の収納に用いるとともに、後述するように、噴射具による洗浄工程において、食器５００（被洗浄具）の供給、噴射洗浄後の食器５００の収納及び乾燥に使用される。
【００７５】
次に、図２２及び図２３を参照して、噴射具による洗浄工程について説明するが、その基本的洗浄内容は、特許第４３１１５８１号に開示されたものをベースにし、かかる特許の洗浄方法を一層改良して洗浄性能の向上を図ったものである。
【００７６】
洗浄具による洗浄工程が終了した後、食器５００を収容したトレー３５２が載置された移動式作業台３０５は、図２２に示すように、乾燥かご３０７に隣接するように移動される。例えば、右手でもってトレー３５２から食器５００（被洗浄物であって、洗浄具２（１０１）により洗浄されたもの）を取り出して洗浄台３０３に載置し、また左手でもって噴射具３０２を操作して温水又は水を噴射させて洗浄し、洗浄した食器５００を乾燥かご３０７に収容する。この洗浄際に、両手をフルに使用して洗浄することによって効率よく洗浄することができ、図２３示すように、洗浄台３０３に２個の食器５００を載置し、一方の食器５００にカバー体３２３を被せて噴射具３０２により噴射洗浄し、この洗浄柱に他方の食器５００を準備することで連続的に洗浄することができ、このようにすることによって、食器５００を効率よく洗浄することができる。
【００７７】
この洗浄方法では、洗浄具２（１０１）に希釈洗剤を浸して食器５００を早く磨き、その後水に短時間浸して界面活性剤の大部分を除去しているので、噴射具による洗浄工程では、噴射具から水を噴射することによって簡単に泡を切ることができ、水洗浄できれいに洗浄することができ、消費エネルギーを１／３程度に減少することができる。更に、洗浄回数を食器一つ当たり３回から２回（表裏）に減らして噴射時間を短くすることができ、従来３〜５秒要していた時間を２〜３秒に減らすことができ、その結果、約半分の時間でもって噴射洗浄することができ、従って労力も半分となり、洗浄に伴う総合的経費は、食器１日分で約２５円程度となり、この経費を最小に抑えることができる。
【００７８】
以上、本発明に従う洗浄具の各種形態について説明したが、本発明はかかる実施形態に限定されず、本発明の範囲を逸脱することなく種々の変形乃至修正が可能である。
【符号の説明】
【００７９】
２，１０１  洗浄具
４，４Ａ，４Ｂ，４Ｃ，１０２  洗浄具本体
６，６Ａ，６Ｂ  第１スポンジタワシ
８，８Ａ，８Ｂ  第２スポンジタワシ
１０，１０Ａ，１０Ｃ，１１０  第１柄部
１２，１２Ａ，１２Ｃ，１１２  第２柄部
１４，１４Ｂ，１１４  連結・接続部
１６，１１６  第１摘み部
１８，１１８  第２摘み部
４２，４２Ａ，４２Ｂ  第１タワシ本体
４４，４４Ａ，４４Ｂ  第２タワシ本体
４６，１２４  マット材
４８，１２６  発泡樹脂材
１２０  スポンジタワシ
１２２  タワシ本体
２００，５００  食器（被洗浄物）
【図１】
0005246527.tif 000002
【図２】
0005246527.tif 000003
【図３】
0005246527.tif 000004
【図４】
0005246527.tif 000005
【図５】
0005246527.tif 000006
【図６】
0005246527.tif 000007
【図７】
0005246527.tif 000008
【図８】
0005246527.tif 000009
【図９】
0005246527.tif 000010
【図１０】
0005246527.tif 000011
【図１１】
0005246527.tif 000012
【図１２】
0005246527.tif 000013
【図１３】
0005246527.tif 000014
【図１４】
0005246527.tif 000015
【図１５】
0005246527.tif 000016
【図１６】
0005246527.tif 000017
【図１７】
0005246527.tif 000018
【図１８】
0005246527.tif 000019
【図１９】
0005246527.tif 000020
【図２０】
0005246527.tif 000021
【図２１】
0005246527.tif 000022
【図２２】
0005246527.tif 000023
【図２３】
0005246527.tif 000024